(57)【要約】【課題】ロータ部をシャフトにネジで取り付ける際に、回転時のロータ部の振れの低減を目的として最もロータ部の回転振れの少ない位置を選択して固定していた調整が、ネジで固定する際にロータ部がネジの回転に巻き込まれて前述の調整位置からずれてしまうことを防止する。【解決手段】シャフト３１に形成された突出部３１ａと、これに嵌合するロータ部３９のブッシュ３５の凹部３５ａの形状が、シャフト３１の回転中心軸と同心円にならない形状に形成され、且つ、突出部３１ａと凹部３５ａの形状は、その嵌合固定の際に、ロータ部３９とシャフト３１が最も回転振れの少ない位置関係で嵌合固定されるような形状に形成される。【選択図】　図１
2004069024.tif 000002
【特許請求の範囲】
【請求項１】
ブッシュに固定されたロータケース及び該ロータケースに固定された駆動マグネットからなるロータ部と、
回路基板に固定され、内部に軸受を保持すると共に外周にステータコアが固定されたハウジングを備えるステータ部と、
前記軸受に挿入することで、前記ステータ部に回転可能に支持されたシャフトであって、
前記シャフトは、前記ロータ部との接続固定部分で前記シャフトの回転中心軸と同心円にならない形状に形成されている突出部を持ち、
前記ブッシュは、前記突出部の形状に対応して嵌合する凹部を持ち、
前記突出部と前記凹部を嵌合した際に、前記ロータ部と前記シャフトが最も回転振れの少ない位置関係で固定されるように、それらの形状を形成したことを特徴とする、ロータ固定構造。
【発明の詳細な説明】
【０００１】
【発明の属する技術分野】
本発明は、ＨＤＤ装置に搭載される、ロータ部とシャフトが分離可能なモータの、ロータ固定構造に関する。
【０００２】
【従来の技術】
従来、ＨＤＤ装置に搭載されるモータとしては、図３に示すような構成を有するものが知られている。
【０００３】
回路基板１に固定されたハウジング３には、駆動コイル７が捲かれたステータコア５が固定されており、駆動コイル７は回路基板１に搭載された図示しない電気回路に接続されている。
【０００４】
ハウジング３の内部には軸受９が固定されており、この軸受９にシャフト１１が挿入され、軸受９とシャフト１１のどちらか一方、もしくは双方にグルーブ溝が形成されることで、動圧軸受を形成している。なお１３は、シャフト１１のスラスト方向の力を支持するスラスト受で、ハウジング３に固定されている。
【０００５】
なお、シャフト１１には、後述するブッシュ１５と嵌合する為の突出部１１ａと、そのブッシュ１５と固定するためのネジ２３をねじ込む為のネジ穴１１ｂが形成されている。
【０００６】
この様にして、回路基板１、ハウジング３、ステータコア５、軸受９、スラスト受１３にて、モータのステータ部２７が形成される。
【０００７】
また、中心にネジ穴１５ｂが開けられているブッシュ１５と一体成形されたロータケース１７には、ステータコア５の先端と対向するように、駆動マグネット１９が固定されている。
【０００８】
この様にして、ブッシュ１５、ロータケース１７、駆動マグネット１９により、モータのロータ部２９が形成される。
【０００９】
ブッシュ１５の上面には、ＨＤＤ用のディスク２１が載置されており、スプリングワッシャ２５を介して、ネジ２３によってブッシュ１５に固定されている。
【００１０】
また、ブッシュ１５にはシャフト１１の突出部１１ａと嵌合する為の凹部１５ａが形成されており、この凹部１５ａとシャフト１１の突出部１１ａによってブッシュ１５をシャフト１１にはめこんだ後に、ブッシュ１５のネジ穴１５ｂを貫通したネジ２３をシャフト１１のネジ穴１１ｂにねじ込むことによって、ロータ部２９とシャフト１１とを固定する。
【００１１】
そして、この様なモータは、回路基板１に搭載された図示しない電気回路により駆動コイル７を切換通電することで、駆動マグネット１９に回転応力が加わり、ロータ部２９が回転する。
【００１２】
【発明が解決しようとする課題】
このようなロータ部２９をシャフト１１に取り付ける構造では、回転時のロータ部２９の振れ、すなわちＨＤＤ用のディスク２１の振れの低減が必要である。
【００１３】
従来は、ロータ部２９をシャフト１１に取り付ける際に、ロータ部が最も回転振れの少ない位置、角度等を選択して固定し、調整を行っていた。
【００１４】
しかしながら、シャフト１１の形状は図４（ａ）、（ｂ）に示すように、シャフト１１の外周、突出部１１ａ、ネジ穴１１ｂは全て同心円状に形成されているため、この様な場合、ロータ部２９とシャフト１１との嵌合の際には、ロータ部２９とシャフト１１の間には半径方向に隙間が発生する。この為、ロータ部２９をシャフト１１にネジ２３で固定する際、ネジ２３に押付けられたロータ部２９がネジ２３の回転に捲きこまれて回転してしまい、前述のような最もロータ部２９の回転振れの少ない固定位置からずれてしまうことがあった。
【００１５】
その為、ロータ部２９の回転に偏心を生じ、これに取り付けたＨＤＤ用のディスク２１の周期振れが増大してディスク２１の記録容量が減少したり、振動、騒音が大きくなってしまう。
【００１６】
【課題を解決するための手段】
本発明によるモータのロータ固定構造は、ブッシュに固定されたロータケースと、ロータケースに固定された駆動マグネットからなるロータ部と、ハウジング内の軸受に挿入されることで、そのハウジングを含むステータ部に回転可能に支持されたシャフトであって、シャフトに形成された突出部と、これに嵌合するブッシュの凹部の形状が、シャフトの回転中心軸と同心円にならない形状に形成されていることを特徴とするものである。なお、ロータケースそのものは回転中心軸と同心円状になるように形成されている。
【００１７】
また、シャフトの突出部とブッシュの凹部の形状は、その嵌合固定の際に、ロータ部とシャフトが最も回転振れの少ない位置関係で嵌合固定されるような形状に形成されている。
【００１８】
上記本発明の構成によれば、ロータ部をシャフトに取り付けた際に、その嵌合部の形状は、シャフトの回転中心軸とは同心円にならない形状であり、かつその嵌合部の形状が、ロータ部が最も回転振れが少なくなるロータ部とシャフトの位置関係になるように嵌合固定される形状に形成されているので、ネジ固定の際に、ネジに押付けられたロータ部がネジの回転に捲きこまれて回転してしまい、最も回転振れの少ない固定位置からずれてしまうということがなくなり、常に最も回転振れの少ない最適な位置関係で、ロータ部とシャフトが固定されるようになる。
【００１９】
【発明の実施の形態】
以下、本発明の実施の形態を、図面を参照して説明する。なお、従来例と共通する部分には同一の符号を付し、説明を省略する。
【００２０】
図１は、本発明に係るモータのロータ固定構造の実施の形態を示す断面図である。なお、断面を表す斜線は省略した。
【００２１】
図１において従来例と異なる部分は、シャフト３１及びブッシュ３５であり、他の部分は従来の構造と同様である。
【００２２】
シャフト３１は、その突出部３１ａの構造が、図２（ａ）、（ｂ）に示すように、シャフト３１の回転中心軸と同心円にならない形状に形成されている。なお、ネジ穴３１ｂは、回転中心軸と同心円状に形成されている。
【００２３】
また、ブッシュ３５は、その凹部３５ａが突出部３１ａの形状に対応して嵌合する形状に形成されている。なお、ブッシュと一体成形されるロータケースそのものは、回転中心軸と同心円状になるように形成されている。
【００２４】
さらに、突出部３１ａ、凹部３５ａの嵌合形状は、嵌合固定の際に、ロータ部とシャフトが最も回転振れの少ない位置関係で嵌合固定されるような形状に形成されている。
【００２５】
なお、突出部３１ａ及び凹部３５ａの形状は、これらの条件を満たすものであれば、その形状は任意である。
【００２６】
シャフト３１とブッシュ３５の材質であるが、シャフトの突出部３１ａがシャフト３１の回転中心軸とは非同心形状のため、回転時のロータ部のバランスを考慮し、同材質で形成されることが望ましい。
【００２７】
本構成においては、シャフト３１の突出部３１ａ、及びこれに対応して嵌合するブッシュ３５の凹部３５ａの形状が、シャフト３１及びロータ部３９の回転中心軸とは非同心形状で、且つ、ロータ部３９が最も回転振れが少なくなるロータ部３９とシャフト３１の位置関係になるような形状のため、ブッシュ３５のネジ穴３５ｂを貫通したネジ２３をシャフト３１のネジ穴３１ｂにねじ込むことによって、ロータ部３９とシャフト３１とを固定する際に、ネジ２３に押付けられたロータ部３９がネジ２３の回転に捲きこまれて回転してしまい、最も回転振れの少ないロータ部３９とシャフト３１との固定位置からずれてしまうことがなくなり、よって、回転時のロータ部３９の振れ、すなわちＨＤＤ用のディスク２１の振れの低減が可能になる。
【００２８】
【発明の効果】
本発明によるモータのロータ固定構造は、ブッシュに固定されたロータケースと、ロータケースに固定された駆動マグネットからなるロータ部と、ハウジング内の軸受に挿入されることで、そのハウジングを含むステータ部に回転可能に支持されたシャフトであって、シャフトに形成された突出部と、それと嵌合するブッシュの凹部の形状が、シャフトの回転中心軸と同心円にならない形状で、且つ、その嵌合部の形状が、ロータ部が最も回転振れが少なくなるロータ部とシャフトの位置関係になるように形成されていることを特徴とするものであり、ロータ部をシャフトに取り付けるためのネジ固定をする際に、ネジに押付けられたロータ部がネジの回転に捲きこまれて回転してしまい、最も回転振れの少ない固定位置からずれてしまうということがなくなるため、常に最適な回転振れの少ない位置関係でロータ部とシャフトが固定されるようになり、回転時のロータ部の振れ、すなわちＨＤＤ用のディスクの振れの低減が可能になる。
【図面の簡単な説明】
【図１】本発明の実施の形態に係るモータのロータ固定構造の断面図である。
【図２】図１のロータ固定構造におけるシャフトを表す図（（ａ）正面図、（ｂ）上面から見た図）である。
【図３】従来のモータのロータ固定構造の断面図である。
【図４】図３のロータ固定構造におけるシャフトを表す図（（ａ）正面図、（ｂ）上面から見た図）である。
【符号の説明】
１　　回路基板
３　　ハウジング
５　　ステータコア
７　　駆動コイル
９　　軸受
１１、３１　シャフト
１１ａ、３１ａ　突出部
１１ｂ、１５ｂ、３１ｂ、３５ｂ　ネジ穴
１３　スラスト受
１５、３５　ブッシュ
１５ａ、３５ａ　凹部
１７　ロータケース
１９　駆動マグネット
２１　ディスク
２３　ネジ
２５　スプリングワッシャ
２７　ステータ部
２９、３９　ロータ部
【図１】
2004069024.tif 000003
【図２】
2004069024.tif 000004
【図３】
2004069024.tif 000005
【図４】
2004069024.tif 000006